(57)【要約】【課題】  作業机等の準備がいらず、作業性を向上させて、しかも花材保持ブロックに円滑且つ精度良く花材を生けることができ、華麗で見事なブーケやアレンジメント等のフラワーアレンジメント作品を初心者でも簡単に製作できるフラワーアレンジメント用具を提供する。【解決手段】  枠状部１１に支脚１２を設けた脚付枠状の作業台１０と、板面を貫通する透孔２１を形成して該作業台上に水平に載置され、ブーケホルダー５の柄部５ａを該透孔に貫挿し花材保持ブロック５ｂの露出部を該板面よりも上方側に配して該透孔の周縁でブーケホルダー５を受け支える板状体２０と、花材４の組付位置マーク３１を該板状体２０の上面に表示する位置マーク表示手段３０と、前記透孔２１の下方位置でブーケホルダー５の柄部５ａを貫挿する係合孔２６を設けた係合手段２３と、を具備する。【選択図】  図１
2007154393.tif 000002
【特許請求の範囲】
【請求項１】
枠状部に支脚を設けた脚付枠状の作業台(１０)と、板面を貫通する透孔を形成して該作業台上に水平に載置され、ブーケホルダーの柄部を該透孔に貫挿し花材保持ブロックの露出部を該板面よりも上方側に配して該透孔の周縁でブーケホルダーを受け支える板状体(２０)と、花材の組付位置マークを該板状体の上面に表示する位置マーク表示手段(３０)と、前記透孔の下方位置でブーケホルダーの柄部を貫挿する係合孔を設けた係合手段(２３)と、を具備することを特徴とするフラワーアレンジメント用具。
【請求項２】
前記係合手段(２３)が、前記板状体の下側に蝶番を介してプレート体を揺動自在に吊下し、該プレート体の先端部にブーケホルダーの柄部が貫挿する係合孔を形成してなるものである請求項１に記載のフラワーアレンジメント用具。
【請求項３】
前記係合手段(２３)が、脚付枠状の前記作業台に係る枠状部の対向内壁にそれぞれ鍔を設けると共に、該鍔上にスライド板を着脱自在に水平に設け、且つ該スライド板にブーケホルダーの柄部が貫挿する係合孔を形成してなるものである請求項１に記載のフラワーアレンジメント用具。
【請求項４】
前記透孔の孔径よりも孔径の小さな孔を形成した環体(８０)をさらに具備し、該環体が前記透孔に嵌合し、該環体の孔にブーケホルダーの柄部を貫挿した際に、前記透孔の周縁で受け支えていたブーケホルダーの地点よりも下方の地点で該環体が受け支えるようにした請求項２又は３に記載のフラワーアレンジメント用具。
【請求項５】
前記板状体(２０)が、対向縁に半円状の切欠を形成した半割板状の一対の板状体を、作業台上に隣り合わせに配置することにより前記透孔を形成するものである請求項４に記載のフラワーアレンジメント用具。
【請求項６】
中心部側にくり抜き部分を設けた板体と、該板体の少なくとも一方の面に表示される花材の組付位置マークと、前記くり抜き部分の内縁から突設する針状軸体と、が設けられた起立性シート状表示体（５０）をさらに具備し、前記軸体をブーケホルダーの花材保持ブロックに差し込むことにより花材保持ブロック上に起立状に装着するようにした請求項５に記載のフラワーアレンジメント用具。
【発明の詳細な説明】
【技術分野】
【０００１】
本発明はブーケやアレンジメント作品等を製作するためのフラワーアレンジメント用具に関する。
【背景技術】
【０００２】
フラワーアレンジメントはヨーロッパが発祥とされ、その種類として(１)ブーケ，(２)アレンジメント，(３)コサージ等があり、我国でも愛好者が広がりつつある。フラワーアレンジメント（特に基本形）の作品を美しく作るにはフラワースクールに何度も通い続けて、花を生けて勉強するのが主流である。そのスクールでは、ラウンド型，ダイヤ型，キャスケード型等のフラワーアレンジの基本形につき、物差し，メジャー等を使用し、底辺面や高さ，側面を測りながら生けていく方法を教えている。
そして、そこで製作される例えばブライダルブーケは、ウエディングドレスを着た花嫁をより美しく見せることができるもので、バラ,ラン,ユリ,トルコ桔梗, ,フリージャ等の多数の生花や枝葉（以下、花材という）をラウンド型やキャスケード型等の立体形状にアレンジされる。生花を用いたこのようなフラワーアレンジメント作品が可能であれば自分の感性を生かして手作りし、親しい友人や愛娘の結婚式にプレゼントできるようにしたいという要望は大きい。
しかし、多数の花材を所定形状にバランス良く配置することは、初心者にとって容易でなく、従来はフラワーアレンジメントに興味をもっていても個人がこれを手作りすることは困難であった。フラワーアレンジメントは本や写真などを参考にしても、素人では多数の花材を美しく立体形状にアレンジできなかった。結局、フラワーアレンジメントをマスターするにはスクールに通い勉強することになるが、そのための時間と費用が嵩む状況にあった。
こうしたことから、本発明者は初心者でも手軽にフラワーアレンジメント作品を作製できるフラワーアレンジメント用教具を既に提案した(特許文献１)。
【０００３】
【特許文献１】特許第３４５５４７５号公報
【発明の開示】
【発明が解決しようとする課題】
【０００４】
特許文献１で提案したフラワーアレンジメント用教具は、例えばブライダルブーケを作るにあたって、まず図１８に示すごとくブーケホルダー１の柄部１ａを円筒状のスタンド２に差すことにより、ブーケホルダー１を真直に支持する。次に、表面に等角間隔で花の組付位置マーク３ａ,３ｂ,３ｃ等が表示された一対の略半円形のシート状表示体３をその内縁部に突設された針状の軸体３ｄを花材保持ブロック１ｂに差し込み、図１７のごとくシート状表示体３を水平に止着する。その後、この組付位置マーク３ａ,３ｂ,３ｃに沿って花材４の軸４ａを花材保持ブロック１ｂに差し込むことにより、花材４を花材保持ブロック１ｂの周囲に均等にバランス良く配置できるようにするものである。尚、ブーケホルダー１は柄部１ａの上端に受器部１ｃを形成し、該受器部上に吸水性発泡体等の多孔質体を球状に形成してなる花材保持ブロック１ｂを配置し、該花材保持ブロック１ｂを篭体１ｄにより囲ってなるものを例示する。
【０００５】
しかるに、一般にブーケホルダーには、図１８に示す柄部１ａの上端に受器部１ｃを真直に形成したものの他、花嫁が柄部１ａを持ったとき花束全体が自然に前方に向くように、図６のブーケホルダー５のごとく柄部５ａの上端に受器部５ｃを前方に所定角度で折れ曲がった形状にし、篭体５ｄによって囲われた花材保持ブロック５ｂが前向き傾斜状に支持されるものがある。受器部５ｃが柄部５ａに対し折れ曲がって形成されたブーケホルダー５は、柄部５ａを上記スタンド２に差したとき花材保持ブロック５ｂが傾斜状になるために、これにシート状表示体３を装着するとこのシート状表示体３も傾斜し、ブーケ作りが困難になった(第１の問題)。そして、ブーケホルダーを上記のようなスタンド２に支持しただけでは不安定であり、花材を差し込む際に作業し難いという問題があった(第２の問題)。さらにキャスケード型のブーケ等においては、柄部の領域まで覆い尽くすような立体感溢れる形状ものが形成されるが、図１９のごとく、シート状表示体３の軸体３ｄを花材保持ブロック１ｂに差し込んでシート状表示体３を水平に止着すると、該シート状表示体自身が邪魔をし、これよりも下方に花材を生けるのを阻むため、立体感溢れる形状ものができなかった(第３の問題)。加えて、特許文献１で、図２０のごとくシート状体からなる教具６０を提供したが、スタンド２に立てるブーケについては該スタンドに教具６０を取付けることができなかった(第４の問題)。
【０００６】
一方、アレンジメントに関しては、特許文献１でシート面６１の一方の面に支持部材たる花材保持ブロック７２又はこれを保持するための器７１が置かれる位置マークＰと花の組付け位置マーク３ａ,３ｂ,３ｃとが表示されたシート状体を用いた教具６０が有効であった(図２０,図２１)。当該教具６０は図２１のごとくテーブル等に敷かれ、位置マークＰに器７１を置いて、まず水平よりも上方側のアレンジメント作品を完成させる。その後、絵柄Ｅに描かれた花材の組付位置マーク３ａ〜３ｃに沿って、図２１のごとく先端に向けて下方傾斜する花材４を生けていく。花材４の先端が対応する絵柄Ｅの花マークに近接させるようにして、該花材の軸４ａを花材保持ブロック７２に差し込んでいく。かくして、テーブル面ＧＬ近くまで花材４に埋もれたボリューム感溢れる形状のアレンジメント作品ができるようにしている。
【０００７】
しかし、前記教具６０を用いた場合、器７１が大きいと器７１の高さも高くなって、花材と花の組付け位置マークとの位置が離れ、花材を上手に生けることが難しくなっていた(第５の問題)。加えて、シート状の教具６０を用いていることから、作業し易い作業位置を確保するため適当な机などの作業机等を別途用意し、その上に教具を置いて生ける必要があった(第６の問題)。
【０００８】
本発明は上記問題点を解決するもので、作業机等の準備がいらず、作業性を向上させて、しかも花材保持ブロックに円滑且つ精度良く花材を生けることができ、華麗で見事なブーケやアレンジメント等のフラワーアレンジメント作品を初心者でも簡単に製作できるフラワーアレンジメント用具を提供することを目的とする。
【課題を解決するための手段】
【０００９】
前記目的を達成すべく、請求項１に記載の発明の要旨は、枠状部に支脚を設けた脚付枠状の作業台(１０)と、板面を貫通する透孔を形成して該作業台上に水平に載置され、ブーケホルダーの柄部を該透孔に貫挿し花材保持ブロックの露出部を該板面よりも上方側に配して該透孔の周縁でブーケホルダーを受け支える板状体(２０)と、花材の組付位置マークを該板状体の上面に表示する位置マーク表示手段(３０)と、前記透孔の下方位置でブーケホルダーの柄部を貫挿する係合孔を設けた係合手段(２３)と、を具備することを特徴とするフラワーアレンジメント用具にある。請求項２の発明たるフラワーアレンジメント用具は、請求項１で、係合手段(２３)が、前記板状体の下側に蝶番を介してプレート体を揺動自在に吊下し、該プレート体の先端部にブーケホルダーの柄部が貫挿する係合孔を形成してなるものであることを特徴とする。請求項３の発明たるフラワーアレンジメント用具は、請求項１で、係合手段(２３)が、脚付枠状の前記作業台に係る枠状部の対向内壁にそれぞれ鍔を設けると共に、該鍔上にスライド板を着脱自在に水平に設け、且つ該スライド板にブーケホルダーの柄部が貫挿する係合孔を形成してなるものであることを特徴とする。請求項４の発明たるフラワーアレンジメント用具は、請求項２又は３で、透孔の孔径よりも孔径の小さな孔を形成した環体(８０)をさらに具備し、該環体が前記透孔に嵌合し、該環体の孔にブーケホルダーの柄部を貫挿した際に、前記透孔の周縁で受け支えていたブーケホルダーの地点よりも下方の地点で該環体が受け支えるようにしたことを特徴とする。請求項５の発明たるフラワーアレンジメント用具は、請求項４で、板状体(２０)が、対向縁に半円状の切欠を形成した半割板状の一対の板状体を、作業台上に隣り合わせに配置することにより前記透孔を形成するものであることを特徴とする。請求項６の発明たるフラワーアレンジメント用具は、請求項５で、中心部側にくり抜き部分を設けた板体と、該板体の少なくとも一方の面に表示される花材の組付位置マークと、前記くり抜き部分の内縁から突設する針状軸体と、が設けられた起立性シート状表示体（５０）をさらに具備し、前記軸体をブーケホルダーの花材保持ブロックに差し込むことにより花材保持ブロック上に起立状に装着するようにしたことを特徴とする。
【００１０】
請求項１〜３の発明のごとく作業台と透孔を形成した板状体と位置マーク表示体３０と係合手段を備えると、ブーケホルダーを起立状態で安定して不動に支持することができるので、花材を差し込み易く作業し易くなる。また組付位置マークに従って花材を差し込むだけで花材保持ブロックに円滑且つ精度良く花材を生けることが可能で、バランスの採れた美しいブーケを簡単に作成することができる。種々の形態で組付位置マークが表示された位置マーク表示体を用意すれば、この位置マーク表示体を交換するだけで、種々な形のブーケを作成するのに使用可能となる。
請求項２の発明のごとくの係合手段が設けられると、ブーケホルダーの柄部を貫挿するだけで簡単、確実にブーケホルダーを係止保持できる。請求項３の発明のごとく、枠状部の対向内壁にそれぞれ鍔を設けその上にスライド板を着脱自在に設けると、簡単な構成にしてブーケ作りだけでなく、アレンジメント作品も手軽に作れるようになる。請求項４の発明のごとくの環体が設けられると、通常のラウンドブーケの他、板状体からブーケホルダーを所定高さの位置に持ち上げることができるので、これまで難しいとされてきたキャスケードタイプのブーケ作品も簡単に作れるようになる。
請求項５の発明のごとくの半割板状の一対の板状体が設けられると、ブーケホルダーを透孔に簡単に係脱できるようになり、さらに着脱も容易になる。請求項６の発明のごとくの起立性シート状表示体を備えれば、起立性シート状表示体に表示された組付位置マークに従い花材を差し込むことで花材保持ブロックの上側に花材をアレンジすることが容易になる。
【発明の効果】
【００１１】
本発明のフラワーアレンジメント用具は、作業机などが不要で、作業がし易く、それでいて花材保持ブロックに円滑且つ精度良く花材を生けることができ、華麗で見事なブーケやアレンジメント等のフラワーアレンジメント作品を初心者でも簡単に製作でき優れた効果を発揮する。
【発明を実施するための最良の形態】
【００１２】
以下、本発明に係るフラワーアレンジメント用具について詳述する。
（１）実施形態１
図１〜図６は本発明のフラワーアレンジメント用具の一形態で、図１はその分解斜視図、図２はその使用状態を示す斜視図、図３は同じくその使用状態を示す縦断面図、図４はシート状表示体の斜視図、図５は本フラワーアレンジメント用具により製作したブライダルブーケの一例を示す斜視図、図６はブーケホルダーの一例を示す斜視図である。
【００１３】
フラワーアレンジメント用具は作業台１０と板状体２０と位置マーク表示手段３０と係合手段２３と起立性シート状表示体５０とを具備する。また、フラワーアレンジメント作品を製作する場合、フラワーアレンジメント用具とは別にフラワーアレンジメント作品の素材たる花材４とブーケホルダー５が準備される。
【００１４】
例えば図５のようなラウンドブーケ作品(以下、単に「ブーケ作品」という)を製作するにあたり、これに必要な生花や枝葉の花材４を準備する。またブーケホルダー５として、本実施形態は図３〜図６のごとく柄部５ａの上端から上方へ延設する受器部５ｃが前方に所定角度(約２０度)で折れ曲がり、該受器部５ｃに収納され且つ篭体５ｄによって囲われた花材保持ブロック５ｂが前向き傾斜状に支持されるブーケホルダー５を用意する。柄部５ａの付け根５ａ１からラッパ状に広がる受器部５ｃが延設され、該受器部５ｃに花材保持ブロック５ｂを収納した後、篭体５ｄで囲ったブーケホルダー５である。図６中、符号５ｃ１は受器部５ｃから突出する複数の係合突起で、花材保持ブロック５ｂを囲った篭体５ｄに係合し、受器部外面に設けたストッパたる突起５ｃ２とで篭体５ｄを受器部５ｃに取外し可能に係止する。尚、図６以外の図面では係合突起５ｃ１,突起５ｃ２の図示を省略する。篭体５ｄでカバーされた部分には花材保持ブロック５ｂの露出部が現れる。ここでは篭体５ｄで覆われた箇所だけでなく、受器部５ｃに窓口を形成して該窓口からも花材保持ブロック５ｂの露出部が現れるようにしている。花材保持ブロック５ｂは保水性を有する樹脂発泡体で、商品名「オアシス」と呼ばれるもの等が用いられる。花材保持ブロック５ｂは略球形の所定形状にして図６のようなブライディ(株式会社クラウディアの商品名)たる柄部５ａ付き受器部５ｃと篭体５ｄに保持されてこの中に納まる。
【００１５】
作業台１０は枠状部１１に支脚１２を設けた脚付枠状体に仕立てた木製品である。図１のごとく帯板の幅方向を起立させて四角形の枠体(枠状部１１)を形成し、その中空内四隅に柱状の支脚１２の上部を固着して脚付枠状体とする。枠状部上面が支脚１２によって作業し易い所定高さで水平に支持される。
【００１６】
板状体２０は板面を貫通する透孔２１を形成して該作業台１０上に水平に載置される方形の木製板である。該板状体２０は枠状部１１上に載置し、ブーケホルダー５の柄部５ａを上から該透孔２１に貫挿し花材保持ブロック５ｂの露出部を該板面よりも上方側に配して該透孔２１の周縁でブーケホルダー５を受け支える構成である。本実施形態は、透孔２１の孔径(円孔)をブーケホルダー５に係る受器部５ｃに設けた窓口の下縁位置又は当該位置よりも少し柄部５ａ寄りのラッパ状受器部５ｃの外径に等しくする。ブーケホルダー５の受器部上縁を水平にして柄部５ａを該透孔２１に貫挿すると、図３のごとく篭体５ｄで囲われた花材保持ブロック５ｂの露出部のみならず、受器部５ｃの窓口から花材保持ブロック５ｂの露出部が板状体２０の板面よりも上方側に配されるようにしている。
さらに、本実施形態の板状体２０は、対向縁にそれぞれ半円状の切欠２１ａ,２１ｂが形成された半割板状の一対の板状体２０ａ,２０ｂからなり、該板状体２０ａ,２０ｂの裏面に図３のごとく位置決め用の棒材２２ａ,２２ｂを固着する。枠状部１１の内壁に棒材２２ａ,２２ｂが当接して、該板状体２０ａ,２０ｂを作業台１０上に隣り合わせに配置することにより、作業台１０上での板状体２０ａ,２０ｂの横ズレを防止すると共に、切欠２１ａ,２１ｂが合わさって円形の透孔２１が形成されるようにしている。
【００１７】
位置マーク表示手段３０は花材４の組付位置マーク３１を前記板状体２０の上面に表示する表示体である。ここでの位置マーク表示手段３０は半割板状の一対の板状体２０ａ,２０ｂと平面視同形状のフィルム又はシートからなり、組付位置マーク３１たる大花マーク３１ａ,小花マーク３１ｂ,葉マーク３１ｃが等角間隔で半円状切欠３２ａ,３２ｂを中心として放射状に表記されている。位置マーク表示手段３０を板状体２０の上に載置することによって、花材４の組付位置マーク３１が板状体２０の上面に表示される。ブーケホルダー５の柄部５ａを透孔２１に貫挿し、ブーケ作品の底面を形成する花材４を該組付位置マーク３１に沿って配し、所定長さに切った花材４の軸４ａを図３のごとく花材保持ブロック５ｂへ挿入すれば、ブーケ作品の底面部分が綺麗に配列された姿態で完成する。
位置マーク表示手段３０は図１の分割構成に代え、板状体２０と平面視同形の一枚ものとすることができる。また本実施形態は、図１のごとく板状体２０と平面視を同じくするシート又はフィルムに花材４の組付位置マーク３１を印刷や後書き等で表記した位置マーク表示手段３０とし、板状体２０と別体構成とするが、板状体２０の上面に直かに位置マーク表示手段３０を直接描いたり印刷したりすることができる。板状体２０の上面に位置マーク表示手段３０を直接描けば、板状体２０と位置マーク表示手段３０とがズレる心配がなく、またフラワーアレンジメント用具の部品点数が減りより好ましくなる。
【００１８】
係合手段２３は前記透孔２１の下方位置でブーケホルダー５の柄部５ａを貫挿する係合孔２６を設けたものである。ここでは、一方の板状体２０ａの下側に蝶番２５を介して定幅板状のプレート体２４を前記棒材２２に止着することで揺動自在に吊下し、該プレート体２４の先端部にブーケホルダー５の柄部５ａが貫挿する係合孔２６を形成している。
板状体２０を作業台１０上に載置すると共にその上に位置マーク表示手段３０を載せ、ブーケホルダー５を透孔２１に貫挿し、さらに柄部５ａを係合孔２６に貫挿してプレート体２４を吊下すれば、ブーケホルダー５を透孔２１の周縁で受け支えるだけでなく、図３のように係合孔２６の周縁でもブーケホルダー５の柄部５ａの動きを規制する。透孔２１と係合孔２６の2箇所でブーケホルダー５を係止してこれを安定保持する。
【００１９】
起立性シート状表示体５０は、中心部側にくり抜き部分を設けた板体(ここでは半円板)の少なくとも一方の面に花材４の組付位置マーク３１が表示され、且つ該くり抜き部分の内縁から突設する針状軸体５１が設けられたものである。該軸体５１をブーケホルダー５の花材保持ブロック５ｂに差し込むことにより、該花材保持ブロック５ｂ上に起立状に装着できる。
詳しくは、ブーケ作品の大きさに対応させた半円板とし、且つその中心部に小さな半円形にくり抜いた所定厚みで剛性のある板体を主部とする(図２)。そして、中心部の半円形のくり抜き部分の内周縁から2本の軸体５１が平行突出するよう形成する。該軸体５１を使ってブーケホルダー５の花材保持ブロック５ｂに取付けた際、図３のごとく該花材保持ブロック５ｂをうまく取り囲めるほどの半円形のくり抜き部分が形成されている。さらに、起立性シート状表示体５０のその板体に、組付位置マーク３１たる大花マーク３１ａ,小花マーク３１ｂ,葉マーク３１ｃが等角間隔にて半円状切欠を中心として放射状に表記される。
【００２０】
作業台１０上に板状体２０を載置し、さらに位置マーク表示手段３０を板状体２０の上面に載置した後、ブーケホルダー５の受器部上縁を水平にして柄部５ａを透孔２１,係合孔２６に貫挿し、プレート体２４を離して係合孔２６で柄部５ａを係止する。これにより、図２,図３のごとくブーケホルダー５が正規の状態で配される。次に、図３のごとく起立性シート状表示体５０の軸体５１をブーケホルダー５の花材保持ブロック５ｂへ上から垂直に差し込み、装着する。続いて、花材４を起立性シート状表示体５０の組付位置マーク３１に沿って配し、所定長さに切った花材４の軸４ａを図３のごとく花材保持ブロック５ｂへ挿入すれば、ブーケ作品を形成する一つの半円縦断面部分が完成する。この半円縦断面部分は、特許文献１の図６のごとく花材４がつくる所定幅をもち、且つその外周面が花で彩られる。図３で、起立性シート状表示体５０の各組付位置マーク３１に沿って花材４を配しその軸４ａを花材保持ブロック５ｂに挿入して一つの縦断面面部分が完成する。次いで、起立性シート状表示体５０を抜き取り図３の紙面垂直方向に起立性シート状表示体５０を配設替えしその軸体５１をブーケホルダー５の花材保持ブロック５ｂに差し込む。その後、花材４を起立性シート状表示体５０の組付位置マーク３１に沿って配し、所定長さに切った花材４の軸４ａを花材保持ブロック５ｂへ挿入すれば、前述の縦断面部分と直行する新たな半円縦断面部分が完成する。
【００２１】
ブーケ作品を製作する際、前記位置マーク表示手段３０を使ってブーケ作品の底面部分と、前記起立性シート表示体を使って直行する半円縦断面部分と、の手順は問わない。これらを完成させると、少なくともこれらの部分が規則性をもって綺麗にブーケの外観を形づくるので、後は残り少ない花材保持ブロック５ｂの露出部分を隠すようにそこへ花材４を挿入してやれば豪華で且つ見事な図５ごとくのブーケを作ることができる。
【００２２】
このように構成したフラワーアレンジメント用具は、図２に示すように、作業台１０上に板状体２０ａ，２０ｂを隣り合わせに配置することによってできた透孔２１へブーケホルダー５の受器部５ｃの上縁を水平にして柄部５ａを貫挿すれば、透孔２１の部分がブーケホルダー５の受器部５ｃを受け支えるので、花材保持ブロック５ｂが板状体２０,位置マーク表示手段３０の上側に配設される。そして、図３に示したように蝶番２５を支点としてプレート体２４を回転させ、その係合孔２６に該板状体２０から下方傾斜する柄部５ａを貫挿する。プレート体２４から手を離せば該プレート体２４の自重により該プレート体２４が垂れ下がり、柄部５ａが該係合孔２６に係合,係止する。透孔２１の周縁と係合孔２６の周縁の2箇所でブーケホルダー５を係止するので、ブーケホルダー５が板状体２０,位置マーク表示手段３０上でしっかり固定される。作業台１０上のブーケホルダー５が安定し、ブーケの製作作業が円滑に進む。
また、柄部５ａの上端から上方へ延設する受器部５ｃが前方に折れ曲がるブーケホルダー５は、従来のブーケスタンド(図１８の符号２)では、傾いた状態のままブーケ作品を作ることが強いられるので製作困難であったが、本フラワーアレンジメント用具によればブーケホルダー５の柄部５ａを傾けてブーケの正面が上向き状態になるので、ブーケ作りが非常に行い易くなっている。
さらに、作業台１０上に位置マーク表示手段３０や起立性シート状表示体５０が配されるので、フラワーアレンジメント用具だけで足り、別途、作業机等を準備しなくて済む。位置マーク表示手段３０と起立性シート状表示体５０の組付位置マーク３１に沿ってバラ,ユリ,チューリップ,ラン,トルコ桔梗等の花材４の軸４ａを花材保持ブロック５ｂに差し込んでいけば、手作りで生花からなる華麗で豪華なブーケを素人でも楽に製作できる。
【００２３】
加えて、位置マーク表示手段３０や起立性シート状表示体５０は、使用する花材４の大きさや種類、形状、及び製作しようとするブーケの型に合わせて種々の組付位置マーク３１が表示されたものを予め用意しておけば、該位置マーク表示手段３０,起立性シート状表示体５０を交換するだけで別のブーケ作品に対処できる。例えば、図４に示した位置マーク表示手段３０は、図２に示したものに代えて板状体２０ｂ上に配置することによりオーバル型のブライダルブーケを作成するものである。これらのシート状表示体３０,５０を使用することにより、花材４の配置バランスが精度良く保たれ見栄えの良いオーバル型ブーケを初心者でも簡単に作成できる。
【００２４】
また、板状体２０は板状体２０ａ，２０ｂに２分割されていることから、一方の板状体を外せば出来上がったブーケを簡単に取り出すことができ着脱を容易にする。係合手段２３は板状体２０ａの下側に蝶番２５を介してプレート体２４を吊下するだけで簡単に構成できると共に、ブーケホルダー５の柄部５ａをその透孔２１に簡単に係脱することができる。それでいて、作業者が作業中にブーケホルダー５に当ったりした場合でも、ブーケホルダー５が透孔２１と係合孔２６の２箇所で係止されているので不用意に動いたりしない。
【００２５】
（２）実施形態２
本実施形態は図７〜図１５ごとくのフラワーアレンジメント用具で、図７は作業台に係合手段が取付けられた斜視図、図８はフラワーアレンジメント用具の全体斜視図、図９は受器部から柄部が斜め下方に伸びるブーケホルダーをフラワーアレンジメント用具にセットした縦断面図、図１０は係合孔周りの部分拡大図、図１１は受器部から柄部が垂下するブーケホルダーをフラワーアレンジメント用具にセットした縦断面図、図１２は透孔に環体を嵌合させて図９のブーケホルダーをフラワーアレンジメント用具にセットした縦断面図、図１３は図１２の環体周りの拡大図、図１４はアレンジメント用の位置マーク表示手段付き板状体の平面図、図１５は花材保持ブロックが収納されたアレンジメント容器を本フラワーアレンジメント用具にセットした縦断面図である。
【００２６】
本実施形態のフラワーアレンジメント用具は作業台１０と板状体２０と位置マーク表示手段３０と係合手段２３と起立性シート状表示体５０と環体８０とを具備する。また、フラワーアレンジメント作品を製作する場合、フラワーアレンジメント用具とは別に実施形態１と同様、ブーケを作る際はフラワーアレンジメント作品の素材たる花材４とブーケホルダー５が準備される。またテーブル等に置いて飾るアレンジメント作品を作る際は、そのアレンジメント作品の素材たる花材４と花材保持ブロック７２の入ったアレンジメント用容器７１が準備される。
【００２７】
作業台１０は帯板の幅方向を起立させて四角形の枠体を形成した枠状部１１に、支脚１２を設けた脚付枠状体に仕立てた木製品である。ここでは、図７,図９のごとく枠状部１１の対向内壁から張り出す横板１３に雄螺子部１３１を設ける一方、支脚１２の上端面から支脚１２内に該雄螺子部に螺合する雌螺子部１２１を形成して、支脚１２の雌螺子部１２１に枠状部１１の前記雄螺子部１３１を螺着することにより作業台１０を組立てる構成になっている。さらに他の構成部品、すなわち半割板状の位置マーク表示手段３０付き板状体２０と係合手段２３と起立性シート状表示体５０と環体８０を、枠状部１１内の空間に収納可能とする。他は実施形態１と同様でその説明を省く。
【００２８】
板状体２０と位置マーク表示手段３０は、実施形態１と違って一体化されている。板状体２０に直接描いたり印刷したりしてもよいが、本実施形態はシート又はフィルム状の位置マーク表示手段３０を板状体２０に接着剤等で後から接合一体化させたものである。また、図８の上部に示すブーケ用の位置マーク表示手段３０Ａ付き板状体２０の他に、図８の下部に示すアレンジメント用の花材４の組付位置マーク３１の入った位置マーク表示手段３０Ｂ付き板状体２０がフラワーアレンジメント用具にセットで組み込まれている。ブーケ作品のみならずアレンジメント作品も作ることのできる用具になる。アレンジメント用の位置マーク表示手段３０Ｂ付き板状体２０の透孔２１は容器７１を受け支えられるよう、ブーケ用に比べて一回り大きな透孔２１,半円状切欠が形成される。
板状体２０の表面には位置マーク表示手段３０の組付位置マーク３１が一体化表記される一方、板状体２０の裏面には板状体２０を作業台１０上に載置した際、枠状部１１の内周四隅に当接する棒材２２ａ,２２ｂが設けられる。位置マーク表示手段３０付き板状体２０は半割二分割構成で、枠状部１１の内壁四隅に棒材２２ａ,２２ｂを当接,係止させ、板状体２０ａ,２０ｂを作業台１０上に隣合わせ配置することにより、作業台１０上での板状体２０ａ,２０ｂの横ズレを防止すると共に、切欠２１ａ,２１ｂが合わさって円形の透孔２１が形成される。他は実施形態１と同様で、その説明を省く。
【００２９】
係合手段２３は実施形態１に代えて、脚付枠状の前記作業台１０に係る枠状部１１の対向内壁にそれぞれ鍔２７ａを設けると共に、該鍔２７ａ上にスライド板２８を着脱自在に水平に設け、且つ該スライド板２８にブーケホルダー５の柄部５ａが貫挿する係合孔２９を形成してなるものである。
詳しくは、図７のごとく枠状部１１の対向内壁に帯板からなる鍔２７ａを水平に設ける。略中央に柄部５ａが貫挿できる係合孔２９を形成した長方形板からなるスライド板２８を両鍔２７ａに載置することで着脱自在に水平に配設される。さらに枠状部１１の対向内壁に、スライド板２８の厚み幅を確保して鍔２７ａと平行に当て板２７ｂを設け、該スライド板２８は鍔２７ａと当て板２７ｂに囲まれた隙間εに挟まれる格好で鍔２７ａ上を摺動できるようにしている。
受器部５ｃから柄部５ａが垂下するブーケホルダー５の場合、図１１のごとくスライド板２８を透孔２１の真下に置いてフラワーアレンジメント用具にセットする。受器部５ｃから柄部５ａが斜め下方に伸びるブーケホルダー５の場合は、図９のごとくスライド板２８を透孔２１の真下よりも少し横方向にズラしてフラワーアレンジメント用具にセットすることとなる。セットされたスライド板２８は適宜、図示しないクリップ等で作業台１０に固定,保持される。
前記係合孔２９は本実施形態の図１０(イ)のごとくスライド板２８に垂直に孔を設けたものであるが、同図(ロ)のごとく柄部５ａが斜め下方に伸びるブーケホルダー５に合わせた斜孔とすれば、係合孔２９の周縁が柄部５ａにより密着して係合固定するのでより好ましくなる。また同図(ハ)のごとく透孔２１側に向けて末広がりに大きくなる係合孔２９とすれば、係合孔２９に柄部５ａを貫挿し易くなり作業性に富むようになる。
【００３０】
起立性シート状表示体５０はブーケ用ついては実施形態１の図２,図３のものと同じであり、その図面及び説明を省く。アレンジメント用は下縁中心部側にくり抜き部分を設けてアレンジメント作品の形状に合わせた板体の主部と、該くり抜き部分の内周縁から平行突設する２本の軸体５１とを設けたものである。板体の形状と組付位置マーク３１が違うだけで基本的構成は図２の起立性シート状表示体５０と同じで、その図示及び説明を省く。例えば特許文献１の図８の教具１ｂ,１ｃが該当する。該軸体５１を使って容器７１に収納された花材保持ブロック５ｂに取付けた際、該花材保持ブロック５ｂをうまく取り囲めるほどのくり抜き部分が形成されている。さらに、起立性シート状表示体５０のその板体に、組付位置マーク３１たる大花マーク３１ａ,小花マーク３１ｂ,葉マーク３１ｃが等角間隔にてくり抜き部分を中心として放射状に表記される。
【００３１】
環体８０は透孔２１の孔径よりも孔径の小さな孔８３を形成したリング体である。環体８０は透孔２１に嵌合し、該環体８０の孔にブーケホルダー５の柄部５ａを貫挿した際に、前記透孔２１の周縁で受け支えていたブーケホルダー５の地点よりも下方の地点で該環体８０が受け支えるようにするものである。
詳しくは、ブーケ用環体８０の場合、透孔２１の孔径をブーケホルダー５に係る受器部５ｃに設けた窓口の下縁位置又は当該位置よりも少し柄部５ａ寄りのラッパ状受器部５ｃの外径に等しくして、透孔２１の周縁でブーケホルダー５のその地点を受け支える(図９)。さらに透孔２１の孔径よりも孔径の小さな孔を形成した環体８０を、該透孔２１に嵌合させたとき、図１２のごとくラッパ状受器部５ｃの前記地点よりも柄部５ａ又はこれに近い下方地点で、環体８０がブーケホルダー５を受け支える構成とする。ここでの環体８０Ａは透孔２１の孔径よりも孔径の小さな孔８３を形成した円筒部８２の一方に外フランジ８１を設けたもので、透孔２１への嵌合の取付け,取外しを容易にしている。アレンジメント用環体８０Ｂは、図１５のようなアレンジメントの容器７１よりも小さな容器を用いる場合にも対応してそれを環体８０で受け支えるようにするものである。ブーケ用環体８０Ａに比べて大きくなるだけであり、基本的構成をブーケ用と同じくするため、その説明を省略する。
その他の構成は実施形態１と同様でその説明を省く。同一符号は同一又は相当部分を示す。
【００３２】
このように構成したフラワーアレンジメント用具は、実施形態１の効果に加え、作業台１０の支脚１２が取り外し分解でき、しかも半割板状の位置マーク表示手段３０付き板状体２０と係合手段２３と起立性シート状表示体５０と環体８０等の他の構成部品とを支脚１２と一緒に枠状部１１内に収納できるので、コンパクトに保管できる。
そして、受器部５ｃから柄部５ａが斜め下方に伸びるブーケホルダー５、さらに受器部５ｃから柄部５ａが垂下するブーケホルダー５について、花材保持ブロック５ｂの正面が上向く状態にしてブーケ作品作りができるので、その作業が極めてし易くなっている。加えて、透孔２１の周縁でブーケホルダー５が受け支えられて、図９の状態でラウンドブーケを作ることができるにとどまらず、透孔２１に環体８０を嵌合させれば、ブーケホルダー５が図９の状態から図１３の状態に上方へ持ち上がった格好になるので、図１２のようなキャスケードタイプのブーケＺも簡単に作ることができる。キャスケードタイプのブーケＺの上面Ｚ１でボリュームをもたせ、その下面Ｚ２が柄部５ａの領域まで覆い尽くすような立体感溢れるゴージャスな形状作品も簡単に作るができる。
【００３３】
さらに、作業台１０からスライド板２８を取り外して、図１４のごとくの位置マーク表示手段３０付き板状体２０を作業台１０に載置すれば、アレンジメント作品用の花材保持ブロック７２が収納された容器７１を透孔２１の周縁で受け支えることができる。かくのごとくセットしてアレンジメント作品も手軽に楽しめる。
また、従来、容器７１が図１５ごとくのワイングラス状容器で、くびれ部７１ｂが長くなると、特許文献１の教具６０では花材保持ブロック７２の位置が高くなって、生けようとする花材４と花の組付け位置マークとの位置が離れ、花材４を上手に生けることが難しくなっていたが(図２１参照)、本フラワーアレンジメント用具では、くびれ部７１ｂより下の容器部分を透孔２１の下の作業台１０内に配設できる。その結果、花材保持ブロック７２を位置マーク表示手段３０の組付位置マーク３１に近づけることができ、精度よく簡単に花材４を配しながらその軸４ａを花材保持ブロックに差し込むことが可能になる。花材４の差込み位置に寸法狂いが生じることが少なく、容易にしてしかも見事なアレンジメント作品を素人でも作り上げることができる。
また容器７１が小さくなる場合も、これに対応する環体８０を透孔２１に嵌合することによって、別の容器７１を用いたアレンジメント作品も対応できる長所を有する。
【００３４】
（３）実施形態３
本実施形態は実施形態２の係合手段に代えて図１６,図１７ごとくとしたフラワーアレンジメント用具で、図１６は作業台に係合手段が取付けられた斜視図、図１７は図１６でスライド板を通る縦断面図である。
【００３５】
係合手段２３は脚付枠状の前記作業台１０に係る枠状部１１の対向内壁にそれぞれ鍔２７ａを設け、該鍔２７ａ上にスライド板２８を着脱自在に水平に設けると共に、該スライド板２８にブーケホルダー５の柄部５ａが貫挿する係合孔２９を形成してなるものである。
さらに、受器部５ｃから柄部５ａが垂下するブーケホルダー５をフラワーアレンジメント用具にセットした状態にして、スライド板２８を透孔２１の真下に置いてスライド板の位置に柄部５ａが貫挿する係合孔２９を設けると共に鍔２７ａと重なるスライド板２８の部分に小孔２８１を形成する。また、図１７に示すように該小孔と接する鍔２７ａの位置に小さな通孔２７ａ１を形成する。そして、Ｌ型のロックピンを小孔２８１,通孔２７ａ１に通して係止させることによって透孔２１の真下に置くスライド板２８を係止固定できる構成とする。
また、受器部５ｃから柄部５ａが下方傾斜するブーケホルダー５をフラワーアレンジメント用具にセットした状態にして、柄部５ａが係合孔２９を貫挿するようスライド板２８を置き、そのスライド板２８が鍔２７ａと重なる部分に小孔２８１を形成すると共に、該小孔と接する鍔２７ａの位置に小さな通孔２７ａ１を形成する。そして、Ｌ型のロックピンＫを小孔２８１,通孔２７ａ１に通して係止させることによって、受器部５ｃに対し柄部５ａが下方傾斜するブーケホルダー５についてもその柄部５ａを貫挿するスライド板２８をロックピンＫで係止固定できる構成とする。
他の構成は実施形態２と同様でその説明を省く。実施形態２と同一符号は同一又は相当部分を示す。
【００３６】
このように構成したフラワーアレンジメント用具は、実施形態２の効果に加え、係合手段２３に係るスライド板２８,鍔２７ａの構造をシンプルにしながら、ブーケホルダーをフラワーアレンジメント用具にロックピンＫで確実に係止セットできる。受器部５ｃから柄部５ａが垂下するブーケホルダー５や柄部５ａが下方傾斜するブーケホルダー５は汎用品で規格化されているので、それに合わせて小孔２８１,通孔２７ａ１を設ければ、ブーケ作りの際に小孔２８１,通孔２７ａ１を合わせた後、これらにロックピンＫを通すだけで係合手段２３のスライド板２８を容易く且つ精度良く係止セットでき頗る便利になる。
【００３７】
尚、本発明においては、前記実施形態に示すものに限られず、目的,用途に応じて本発明の範囲で種々変更できる。作業台１０,板状体２０,位置マーク表示手段３０,係合手段２３,環体８０等の形状,大きさ等は用途等に合わせて適宜選択できる。
【図面の簡単な説明】
【００３８】
【図１】実施形態１に係るフラワーアレンジメント用具の分解斜視図である。
【図２】図１のフラワーアレンジメント用具の使用状態を示す斜視図である。
【図３】図１のフラワーアレンジメント用具の使用状態を示す縦断面図である。
【図４】シート状表示体の斜視図である。
【図５】本フラワーアレンジメント用具により製作したブライダルブーケの一例を示す斜視図である。
【図６】ブーケホルダーの一例を示す斜視図である。
【図７】実施形態２で、作業台に係合手段が取付けられた斜視図である。
【図８】フラワーアレンジメント用具の全体斜視図である。
【図９】受器部から柄部が斜め下方に伸びるブーケホルダーをフラワーアレンジメント用具にセットした縦断面図である。
【図１０】従係合孔周りの部分拡大図である。
【図１１】実受器部から柄部が垂下するブーケホルダーをフラワーアレンジメント用具にセットした縦断面図である。
【図１２】透孔に環体を嵌合させて図９のブーケホルダーをフラワーアレンジメント用具にセットした縦断面図である。
【図１３】図１２の環体周りの拡大図である。
【図１４】アレンジメント用の位置マーク表示手段付き板状体の平面図である。
【図１５】花材保持ブロックが収納されたアレンジメント容器を本フラワーアレンジメント用具にセットした縦断面図である。
【図１６】作業台に係合手段が取付けられた斜視図である。
【図１７】図１６でスライド板を通る縦断面図である。
【図１８】従来技術の斜視図である。
【図１９】従来技術の正面図である。
【図２０】従来技術の斜視図である。
【図２１】従来技術の縦断面図である。
【符号の説明】
【００３９】
５                  ブーケホルダー
５ａ                柄部
５ｂ                花材保持ブロック
１０                作業台
１１                棒状部
１２                支脚
２０                板状体
２０ａ,２０ｂ        板状体
２１                透孔
２３                係合手段
２４                プレート体
２５                蝶番
２６,２９            係合孔
２８                スライド板
３０                位置マーク表示手段
３１                組付位置マーク
５０                起立性シート状表示体
８０                環体
【図１】
2007154393.tif 000003
【図２】
2007154393.tif 000004
【図３】
2007154393.tif 000005
【図４】
2007154393.tif 000006
【図５】
2007154393.tif 000007
【図６】
2007154393.tif 000008
【図７】
2007154393.tif 000009
【図８】
2007154393.tif 000010
【図９】
2007154393.tif 000011
【図１０】
2007154393.tif 000012
【図１１】
2007154393.tif 000013
【図１２】
2007154393.tif 000014
【図１３】
2007154393.tif 000015
【図１４】
2007154393.tif 000016
【図１５】
2007154393.tif 000017
【図１６】
2007154393.tif 000018
【図１７】
2007154393.tif 000019
【図１８】
2007154393.tif 000020
【図１９】
2007154393.tif 000021
【図２０】
2007154393.tif 000022
【図２１】
2007154393.tif 000023